(57)【要約】【課題】支持棒を上下方向から左右方向に配置を変更する際、支持棒とフックとの間がうまく回動して、使い易く、無理なくフックを引っ掛けることができるようにした衣服用のハンガーの提供を図る。【解決手段】衣服を直接的又は間接的に支持する支持棒１と、この支持棒１の両端に設けられたフック４とを備える。フック４と支持棒１との接続を、第１回動軸５３と、第２回動軸５２の少なくとも２つの回動軸によって行う。フック４は第１回動軸５３によって、第１回動体に対して実質的に３６０度回動可能に説明されている。フック係止部として、支持棒１の前後方向に貫通した貫通孔１１を備え、支持棒１の少なくとも貫通孔１１と貫通孔１１との間に、前後の肉厚の小さな凹部１２が形成されている。【選択図】          図２
0003140528.tif 000002
【実用新案登録請求の範囲】
【請求項１】
上下方向に伸びる支持棒と、この支持棒の上端と下端とにそれぞれ設けられたフックとを備えたハンガーであって、このハンガーの上記の支持棒を横方向に配置して上記の上下のフックを左右に配置することにより、支持棒を上下方向にでも左右方向にでも配置できるようにし、支持棒には衣服を直接または間接的にかけることができるようにした衣服用のハンガーにおいて、
第１回動軸と第２回動軸との少なくとも２つの回動軸を介して上記の支持棒と上記のフックのそれぞれとが接続されたものであり、上記の第１回動軸が、第一回動体に対して上記のフックの基端を実質的に３６０度回動可能に接続するものであり、且つ、この第一回動体は少なくとも第２回動軸を介して支持軸と直接的又は間接的に回動可能に接続されたものであることを特徴とする衣服用のハンガー。
【請求項２】
上記の支持棒を上下方向に配置し、その上下両端に上記のフックを配置した状態において、
第３回動軸と、第２回動軸と、第１回動軸との３つの回動軸によって、上記の支持棒と上記のフックとが接続され、
上記の第３回動軸が、支持棒に対して第二回動体の基端を、左右に回動可能に接続することにより、第二回動体の先端が支持棒の右側位置と左側位置との間において移動するものであり、
上記の第２回動軸が、上記の第二回動体の先端に対してこの第一回動体の基端を、実質的に実質的に３６０度、回動可能に接続するものであり、且つ、この第２回動軸の軸方向が上記の第３回動軸の軸方向と直交するものであり、
上記の第１回動軸が、上記の第一回動体の先端に対して上記のフックの基端を、実質的に実質的に３６０度、回動可能に接続するものであり、且つ、この第１回動軸の軸方向が第２回動軸の軸方向と直交するものであることを特徴とする請求項１記載の衣服用のハンガー。
【請求項３】
上記の支持棒には、衣服を直接掛けることができる衣服用ハンガーのフックを掛けるためのフック係止部が複数個形成されたものであり、
このフック係止部として、支持棒の前後方向に貫通することにより上記の衣服用ハンガーのフックを通すことができる貫通孔が形成され、
前後の肉厚の大きな側辺肉厚部が、支持棒の長手方向に沿う両側辺に形成され、
前後の肉厚の大きな複数の連絡肉厚部が、両側辺の側辺肉厚部間を結んで形成され、
隣合う連絡肉厚部の間に肉薄となった凹部が形成される共に、上記の貫通孔の周囲が、側辺肉厚部と連絡肉厚部とによって囲まれたものであることを特徴とする請求項２記載の衣服用のハンガー。
【請求項４】
上記の支持棒には、衣服を直接掛けることができる腕部が複数本形成されたものであり、
この腕部は、上下方向に配置された支持棒から左右方向に伸びるように左右対称に形成されたものであり、且つ上下方向に配置された支持棒の上下方向に複数本形成されたものであることを特徴とする請求項２記載の衣服用のハンガー。
【考案の詳細な説明】
【技術分野】
【０００１】
本願考案は、衣服を干したり吊り下げたりする際に使用する衣服用のハンガーに関するものである。
【背景技術】
【０００２】
衣服用ハンガーは、衣類を掛けて適当の箇所に吊るすのに用いられるが、衣類が増えてくるに従って、かける場所が足らなくなってくる。例えば、壁に設けた一つのフックには、通常、一つのハンガーしか掛けることができず、無理をして複数のハンガーを掛けた場合には、ハンガー部分が重なりあい、見苦しくなることは勿論、ハンガーの取り外しが困難になる。また、衣服ダンスのハンガー用のパイプに、ハンガーを掛ける場合、衣服ダンスの横幅以上のハンガーを掛けることはできない。また、ハンガー用のパイプと衣服ダンスの天板との間の間隔が小さいと、ハンガーの着脱が困難となる場合がある。さらに、洗濯物を干す場合にも、衣服用ハンガーを用いることがあるが、物干し竿に複数の衣服用ハンガーを掛けた場合、風で衣服用ハンガー間の間隔が狭まり、干している衣類と衣類とが接触して、風通しが悪くなり、乾き難いと言ったことがある。そのため特許文献１に示すような衣服用ハンガーを複数かけるためにハンガーが知られている。
さらに、複数の衣服用ハンガーを、１箇所に掛けることができるようにしたり、衣服用ハンガー用のパイプと衣服ダンスの天板との間の間隔が小さいときにも、衣服用ハンガーの着脱を容易に行うことができるようにしたり、物干し竿に複数の衣服用ハンガーを掛ける際にも、衣服用ハンガーで吊るしてある衣類と衣類との間隔を一定に保つことができるようにしたりと、種々の目的に使用できるように、上下方向に伸びる支持棒と、この支持棒の上端と下端とにそれぞれ設けられたフックとを備えたハンガーであって、支持棒に衣服用ハンガーのフックを引っ掛けることができるようにした貫通穴を複数形成したハンガーも知られている。
このハンガーは、縦方向に支持棒を配置して、上端のフックを壁面に形成した釘などの吊り下げ部材に引っ掛けることによって、上下方向に配置することができる一方、ハンガーの上記の支持棒を横方向に配置して上記の上下のフックを左右に配置することにより、支持棒を上下方向にでも左右方向にでも配置できるようにすることができるが、上下方向と左右方向とに配置変えを行う際、うまくフックと支持棒とが回らず、その結果、フックと吊下げ部材との位置関係が動かず、フックが吊下げ部材から外れたりすると言ったことが生じるおそれがある。
また、上記の支持棒には、ネクタイなどの小物を直接掛けることができる腕部が複数本形成されたものも知られている。このタイプにあっても、支持棒を上下方向にでも左右方向にでも配置できるようにすることができるが、上下方向と左右方向とに配置変えを行う際、うまくフックと支持棒とが回らず、その結果、フックと吊下げ部材との位置関係が動かず、フックが吊下げ部材から外れたりすると言ったことが生じるおそれがある。
【特許文献１】特開２００３−３３９５０９号公報
【考案の開示】
【考案が解決しようとする課題】
【０００３】
本願考案の目的は、支持棒の配置の方向を、上下方向と左右方向とに変更する際、うまくフックと支持棒とが回るようにすることによって、フックが吊下げ部材から外れてしまうことを防止し、使い易く、常に安定したバランスを保つことができる衣服用のハンガーの提供を図ることにある。
【課題を解決するための手段】
【０００４】
本願の請求項１に係る考案は、上下方向に伸びる支持棒と、この支持棒の上端と下端とにそれぞれ設けられたフックとを備えたハンガーであって、このハンガーの上記の支持棒を横方向に配置して上記の上下のフックを左右に配置することにより、支持棒を上下方向にでも左右方向にでも配置できるようにし、支持棒には衣服を直接または間接的にかけることができるようにした衣服用のハンガーにおいて、
第１回動軸と第２回動軸との少なくとも２つの回動軸を介して上記の支持棒と上記のフックのそれぞれとが接続されたものであり、上記の第１回動軸が、第一回動体に対して上記のフックの基端を実質的に３６０度回動可能に接続するものであり、且つ、この第一回動体は少なくとも第２回動軸を介して支持軸と直接的又は間接的に回動可能に接続されたものであることを特徴とする衣服用のハンガーを提供する。
本願の請求項２に係る考案は、上記の支持棒を上下方向に配置し、その上下両端に上記のフックを配置した状態において、上記の第３回動軸が、支持棒に対して第二回動体の基端を、左右に回動可能に接続することにより、第二回動体の先端が支持棒の右側位置と左側位置との間において移動するものであり、  上記の第２回動軸が、上記の第二回動体の先端に対してこの第一回動体の基端を、実質的に３６０度、回動可能に接続するものであり、且つ、この第２回動軸の軸方向が上記の第３回動軸の軸方向と直交するものであり、上記の第１回動軸が、上記の第一回動体の先端に対して上記のフックの基端を、実質的に実質的に３６０度、回動可能に接続するものであり、且つ、この第１回動軸の軸方向が第２回動軸の軸方向と直交するものであることを特徴とする請求項１記載の衣服用のハンガーを提供する。
本願の請求項３に係る考案は、上記の支持棒には、衣服を直接掛けることができる衣服用ハンガーのフックを掛けるためのフック係止部が複数個形成されたものであり、このフック係止部として、支持棒の前後方向に貫通することにより上記の衣服用ハンガーのフックを通すことができる貫通孔が形成され、前後の肉厚の大きな側辺肉厚部が、支持棒の長手方向に沿う両側辺に形成され、前後の肉厚の大きな複数の連絡肉厚部が、両側辺の側辺肉厚部間を結んで形成され、隣合う連絡肉厚部の間に肉薄となった凹部が形成される共に、上記の貫通孔の周囲が、側辺肉厚部と連絡肉厚部とによって囲まれたものであることを特徴とする請求項２記載の衣服用のハンガーを提供する。
本願の請求項４に係る考案は、上記の支持棒には、衣服を直接掛けることができる腕部が複数本形成されたものであり、この腕部は、上下方向に配置された支持棒から左右方向に伸びるように左右対称に形成されたものであり、且つ上下方向に配置された支持棒の上下方向に複数本形成されたものであることを特徴とする請求項２記載の衣服用のハンガーを提供する。
尚、本願考案においては、前後、左右、上下は、各部の相対的な位置関係を示すに止まり、絶対的な位置を特定するものではない。
【考案の効果】
【０００５】
本願考案は、第１回動軸と第２回動軸との少なくとも２つの回動軸を介して上記の支持棒と上記のフックのそれぞれとが接続されたものであり、上記の第１回動軸が、第一回動体に対して上記のフックの基端を実質的に３６０度回動可能に接続するものであり、且つ、この第一回動体は少なくとも第２回動軸を介して支持軸と直接的又は間接的に回動可能に接続されたものであるため、種々の目的に用いる際に、使い易く、無理なくフックを回動させて吊り下げることができるものである。さらに、請求項２の考案では、第１、第２、第３の各回動軸が、隣合う回動軸に対して直交しているため、パイプ等の吊下げ部材に対して、全体の重量バランスを良好に保って吊下げらることができるものである。さらに、請求項３の考案では、請求項１又は２の効果に加えて、衣服を直接引っ掛けるようにした衣服用ハンガーを複数個係止することができると共に、より少ない材料の使用によって、強度の大きな衣服用のハンガーを提供することができたものである。請求項４の考案では、請求項１又は２の効果に加えて、ネクタイ等の小物を多数掛けることできる衣服用のハンガーを提供することができたものである。
【考案を実施するための最良の形態】
【０００６】
以下、図面に基づき本願考案の実施の形態を説明する。
図１は、本願考案の実施の形態に係る衣服用のハンガーの正面図であり、図２の（Ａ）は同衣服用のハンガーの要部正面図であり、（Ｂ）は同要部側面図である。
【０００７】
この実施の形態に衣服用のハンガーは、合成樹脂による成形品で、衣服用ハンガーのフックを掛けるフック係止部１１を複数個（図の実施の形態では５個）、上下方向に配列した支持棒１と、この支持棒１の上下両端に設けられたフック４とを備える。このフック係止部１１は、衣服用ハンガーｈのフックｆが挿通できる円形の貫通孔として実施されているが、図３に示すように、貫通孔１１を略多角形状としてもよい。このようにすると、多角形の角部分に、衣服用ハンガーのフックが位置して、フックがぐらつきにくく、安定する点で有利である。
【０００８】
支持棒１の各フック係止部１１，１１の間には、適宜数（この実施の形態では３個）の凹部１２が、前後両面から形成されている。この凹部１２は、軸部の断面積を小さくして軽量化と樹脂材料の節約を図る。そして、この凹部１２は、支持棒１の左右の側辺にまでは達しておらず、側縁部分１３が凹部１２よりも肉厚の大きなリブとして、支持棒１の強度を高めるものである。
より詳しくは、支持棒１の各フック係止部１１，１１の間には、適宜数（この実施の形態では３個）の凹部１２が、前後両面から形成されている。この凹部１２は、軸部の断面積を小さくして軽量化と樹脂材料の節約を図る。そして、この凹部１２は、支持棒１の左右の側辺にまでは達しておらず、側縁部分１３が凹部１２よりも肉厚の大きなリブとして、支持棒１の強度を高めるものである。
より詳しくは、フック係止部として、支持棒１の前後方向に貫通した貫通孔１１を備えたものとし、前後の肉厚の大きな側辺肉厚部１３，１３を、支持棒１の長手方向に沿う両側辺に形成し、さらに、前後の肉厚の大きな複数の連絡肉厚部１４を、両側辺の側辺肉厚部１３，１３間を結んで形成する。そして、隣合う連絡肉厚部１４，１４の間に肉薄となった凹部１２が形成される共に、上記の貫通孔１１の周囲が、側辺肉厚部１３と連絡肉厚部１４とによって囲まれたものとする。これにより、この構造によって、少ない成形材料の使用にもかかわらず、支持棒１の強度が向上すると共に、貫通孔１１の強度が増し、コート等の重い衣服を多数支持させた場合にも、支持棒が変形したりすることなく使用できるものである。
【０００９】
次に、フック４と支持棒１とは、第１、第２、第３の少なくとも３つの回動軸５１，５２，５３によって接続されている。
【００１０】
第３回動軸５１は、支持棒１に対して第二回動体２の基端を、左右に回動可能に接続するものである。図の例では、第二回動体２は、基端側が二股に分かれた部材であり、この二股の脚部２１，２１間に、支持棒１が挿入され、この二股の脚部２１，２１と支持棒１とが、第３回動軸５１によって接続される。この第３回動軸５１は、脚部２１，２１と支持棒１との何れか一方と一体に成形して、何れか他方に対して回動可能に嵌合させればよいが、双方に対して別個の部材で形成することもできる。この第３回動軸５１は、図２（Ａ）の状態では、その軸方向が前後方向に伸びるものであり、この回動軸を中心に、第二回動体２が略１８０度回動し、その先端が支持棒１の右側位置と左側位置との間において移動する。
【００１１】
次に、第２回動軸５２は、第二回動体２の先端に対して、第一回動体３の基端を、実質的に実質的に３６０度回動可能に接続する。この第２回動軸５２の軸方向は、第３回動軸５１の軸方向と直交するものであり、図２（Ａ）の状態では上下方向に伸びるものである。この図の例では、第一回動体３は、基端側に第２回動軸５２を有し、この第２回動軸５２を第二回動体２の先端に回動可能に嵌入したものである。尚、第２回動軸５２は、第二回動体２側に設けてもよく、双方に対して別個の部材で形成してもよい。
【００１２】
次に、第１回動軸５３は、第一回動体３の先端に対してフック４の基端を、実質的に３６０度、回動可能に接続するものである。この第１回動軸５３の軸方向は、第２回動軸５２の軸方向と直交するものであり、図２（Ａ）の状態では上下方向に伸びるものである。この図の例では、フック４は、基端側に第１回動軸５３を有し、この第１回動軸５３を第一回動体３の先端に回動可能に嵌入したものである。尚、第１回動軸５３は、第一回動体３側に設けてもよく、双方に対して別個の部材で形成してもよい。フック４は、図の例では、略４分の３円弧をなしているが、衣服ダンスのハンガー用のパイプ等のハンガー用の係止部材を挿入できる開口を備え、この衣服用のハンガー全体を適宜箇所に引っ掛けることができるものであれば足りる。
【００１３】
この衣服用のハンガーの使用方法を説明すると、１つの例としては、図１に示すように、支持棒１を上下方向にして用い、上側のフック４を、壁に打った釘や、フック、パイプ等の吊下げ部材ｔに係止する。そして、支持棒１のフック係止部１１に、衣服用ハンガーｈのフックｆを挿入して係止する。さらに、支持棒１の各フック係止部１１以外に、下側のフック４にも、衣服用ハンガーｈのフックｆを係止することができる。これにより、壁等に設けた一つの係止箇所に、複数のハンガーｈを吊るすことができ、しかも、各ハンガーｈ間には、適当な上下間隔が開くため、ハンガー同士が重なりあい過ぎて、ハンガーの着脱が困難になると言ったことを防止できる。
【００１４】
特に、本願考案では、３つの回動軸を有するため、回動の自由度が大きく、しかも、第１、第２、第３の各回動軸が、隣合う回動軸に対して直交しているため、パイプ等の吊下げ部材ｔに対して、全体の重量バランスを良好に保って吊下げられる。
【００１５】
さらに、図１の状態からハンガーｈを取り外す時には、図４に示すように、下端側を持ち上げるように全体を回動させて、各ハンガーｈにかかっている衣服間に間隔を開けるようにすると便利である。このとき、図１、図４の状態では、第３回動軸５１が前後方向に伸びているため、回動軸として作用せず、第２回動軸５２も上下方向に伸びているため、回動軸として作用しない。ところが、第１回動軸５３が回動軸として作用して、これを中心に無理なく回動させることができる。その結果、フック４と吊下げ部材ｔとの位置関係が動かず、フック４が吊下げ部材ｔから外れたりすると言ったことが生じにくい。
【００１６】
これに対して、図５に示すように、第１回動軸５３を設けず、２つの回動軸５１，５２のみで実施した場合では、両回動軸５１，５２は上述と同様、回動軸として作用しない。そのため、回動する回動軸がなくなり、フック４が吊下げ部材ｔに対して回動せざるを得ないが、回動しにくいことは勿論、全体を持ち上げる力で、フック４が吊下げ部材ｔの先端に引きずられるようになり、ずれが生じて、フック４が吊下げ部材ｔから外れたりする場合が往々にして起きる。
【００１７】
他の使用例としては、図１の状態から、第１、第２の両回動軸５１，５２を回動させて、図６に示すようにして用いる。このように、両フック４を、パイプ等の吊下げ部材ｔに係止し、支持棒１を水平にして用いることもできる。この例では、ハンガー用のパイプと衣服ダンスの天板との間の間隔が小さい場合や、物干し竿に複数の衣服用ハンガーを掛けた場合にも干している衣類と衣類とが接触しないと言った利点がある。
【００１８】
図７は、他の実施の形態を示すもので、この例では、支持棒１には、ネクタイなどの小さな衣服を直接掛けることができる腕部１５が複数本形成されたものである。この腕部１５は、上下方向に配置された支持棒１から左右方向に伸びるように左右対称に形成されたものであり、且つ上下方向に配置された支持棒１の上下方向に複数本形成されたものである。この例では、第１回動軸と第２回動軸との２つの回動軸を介して上記の支持棒１と上下のフック４、４とがそれぞれ接続されたものである。詳しくは、フック４の基端が第１回動軸によって第一回動体３に対して実質的に３６０度回動可能に接続されている。そして、この第一回動体３が支持棒１に対して第２回動軸を介して回動可能に接続されている。この第２回動軸の軸方向は、支持棒４の長手方向と略等しく設定されている。
なお、この例でも、支持棒１と上下のフック４、４とを、前述のように、第二回動体２、第一回動体３とを介して接続するようにしてもよい。
【図面の簡単な説明】
【００１９】
【図１】本願考案の実施の形態に係る衣服用のハンガーの正面図である。
【図２】（Ａ）は同衣服用のハンガーの要部正面図であり、（Ｂ）は同要部側面図である。
【図３】本願考案の変更例を示す要部正面図である。
【図４】本願考案の実施の形態に係る衣服用のハンガーの使用状態を示す要部側面図である。
【図５】比較例に係る衣服用のハンガーの使用状態を示す要部側面図である。
【図６】本願考案の実施の形態に係る衣服用のハンガーの他の使用状態を示す正面図である。
【図７】本願考案のさらに他の実施の形態に係る衣服用のハンガーの他の使用状態を示す正面図である。
【符号の説明】
【００２０】
１      支持棒
２      第二回動体
３      第一回動体
４      フック
１１    フック係止部
１２    凹部
１３    側辺肉厚部
１４    連絡肉厚部
１５    腕部
５１    第３回動軸
５２    第２回動軸
５３    第１回動軸
【図１】
0003140528.tif 000003
【図２】
0003140528.tif 000004
【図３】
0003140528.tif 000005
【図４】
0003140528.tif 000006
【図５】
0003140528.tif 000007
【図６】
0003140528.tif 000008
【図７】
0003140528.tif 000009